(57)【特許請求の範囲】
【請求項１】
内部が前面開口によって開放されるケーシング本体と、そのケーシング本体の前面開口に開閉自在に設けられた扉と、閉塞された前記扉を施錠または解錠するための錠前とを備えた緊急用備品保管庫であって、
前記扉に、その表面側から裏面側にかけて貫通する緊急開放口が形成され、
前記扉の裏面側における前記緊急開放口に開閉自在に緊急押込板が設けられ、通常時は、その緊急押込板によって前記緊急開放口が閉塞される一方、
前記扉が閉じられて施錠された状態において、前記緊急押込板を表面側から押し込んで前記緊急開放口を開放した際に、前記緊急押込板の押込操作によって前記錠前が作動して前記扉が解錠されるよう構成されるとともに、
前記緊急押込板を押し込んで前記緊急開放口を開放した状態では、前記扉における前記緊急開放口の一縁部を、扉開放操作用の把手として把持できるようにしたことを特徴とする緊急用備品保管庫。
【請求項２】
前記緊急押込板の一縁部が、前記扉の裏面側における前記緊急開放口の一縁部に回転自在に支持されて、前記緊急押込板が押し込まれた際に、その押込板が、一縁部を支点に裏面側に揺動して、前記緊急開放口が開放されるように構成され、
前記扉の緊急開放口一縁部と共に、押込状態の前記緊急押込板が、前記扉開放操作用の把手として把持できるようにした請求項１に記載の緊急用備品保管庫。
【請求項３】
前記緊急押込板の一縁部が前記緊急用押込板の下縁部によって構成されるとともに、前記扉の緊急開放口一縁部が前記扉の緊急開放口下縁部によって構成される請求項２に記載の緊急用備品保管庫。
【請求項４】
前記緊急押込板が押し込まれて裏面側に揺動した際に、前記緊急押込板が略水平姿勢に保持されるようになっている請求項３に記載の緊急用備品保管庫。
【請求項５】
前記緊急押込板および前記緊急開放口が、横長形状に形成される請求項３または４に記載の緊急用備品保管庫。
【請求項６】
前記緊急押込板の揺動側端部に、その端部が裏面側に折り曲げられることにより、指掛け用の折曲部が設けられる請求項２〜５のいずれか１項に記載の緊急用備品保管庫。
【請求項７】
金属製壁面に隣接して設置される請求項１〜６のいずれか１項に記載の緊急用備品保管庫であって、
前記ケーシング本体における前記金属製壁面に対応する外面に、マグネットシートによって構成される固定用テープが取り付けられ、
前記マグネットシートの磁気吸着力によって、前記ケーシング本体が前記金属製壁面に吸着されて固定される緊急用備品保管庫。
【発明の詳細な説明】
【技術分野】
【０００１】
この発明は、例えば医薬品や消火器等の緊急用備品を管理、保管するための緊急用備品保管庫に関する。
【背景技術】
【０００２】
従来、緊急用備品保管庫として、医薬品や消火器等の緊急用備品を、普段は、鍵で施錠して管理するとともに、緊急時には、鍵を用いずに手動操作だけでも解錠できて、緊急用備品を確実に取り出すことができるようにしたものが周知である。
【０００３】
例えば下記特許文献１に示す緊急用備品保管庫は、扉の表面に緊急ボタンが設置されており、非常時にそのボタンを押操作すると、解錠できるようになっている。
【０００４】
このような緊急用備品保管庫は、通常時には鍵を保有する特定のものしか扉を開放できず、収納備品を不具合なく管理できる。さらに緊急時には誰にでも扉を開放できて、確実に緊急用備品を取り出すことができるため、緊急用備品の保管用として優れた機能を備えている。
【先行技術文献】
【特許文献】
【０００５】
【特許文献１】特開２００６−２９９５３２号公報
【発明の概要】
【発明が解決しようとする課題】
【０００６】
しかしながら、上記のような緊急用備品保管庫では、緊急時において、可及的速やかに収納された備品を取り出せるように、緊急時における解錠操作や扉開放操作の操作性を向上させることが常に求められている。
【０００７】
この発明は、上記の課題に鑑みてなされたものであり、普段は鍵操作等によって扉を施錠または解錠できるとともに、緊急時には施錠された扉を鍵等を用いずに手動操作のみで速やかに開放することができる緊急用備品保管庫を提供することを目的とする。
【課題を解決するための手段】
【０００８】
上記課題を解決するため、本発明は、以下の手段を備えるものである。
【０００９】
［１］内部が前面開口によって開放されるケーシング本体と、そのケーシング本体の前面開口に開閉自在に設けられた扉と、閉塞された前記扉を施錠または解錠するための錠前とを備えた緊急用備品保管庫であって、
前記扉に、その表面側から裏面側にかけて貫通する緊急開放口が形成され、
前記扉の裏面側における前記緊急開放口に開閉自在に緊急押込板が設けられ、通常時は、その緊急押込板によって前記緊急開放口が閉塞される一方、
前記扉が閉じられて施錠された状態において、前記緊急押込板を表面側から押し込んで前記緊急開放口を開放した際に、前記扉が解錠されるよう構成されるとともに、
前記緊急押込板を押し込んで前記緊急開放口を開放した状態では、前記扉における前記緊急開放口の一縁部を、扉開放操作用の把手として把持できるようにしたことを特徴とする緊急用備品保管庫。
【００１０】
［２］前記緊急押込板の一縁部が、前記扉の裏面側における前記緊急開放口の一縁部に回転自在に支持されて、前記緊急押込板が押し込まれた際に、その押込板が、一縁部を支点に裏面側に揺動して、前記緊急開放口が開放されるように構成され、
前記扉の緊急開放口一縁部と共に、押込状態の前記緊急押込板が、前記扉開放操作用の把手として把持できるようにした前項１に記載の緊急用備品保管庫。
【００１１】
［３］前記緊急押込板の一縁部が前記緊急用押込板の下縁部によって構成されるとともに、前記扉の緊急開放口一縁部が前記扉の緊急開放口下縁部によって構成される前項２に記載の緊急用備品保管庫。
【００１２】
［４］前記緊急押込板が押し込まれて裏面側に揺動した際に、前記緊急押込板が略水平姿勢に保持されるようになっている前項３に記載の緊急用備品保管庫。
【００１３】
［５］前記緊急押込板および前記緊急開放口が、横長形状に形成される前項３または４に記載の緊急用備品保管庫。
【００１４】
［６］前記緊急押込板の揺動側端部に、その端部が裏面側に折り曲げられることにより、指掛け用の折曲部が設けられる前項２〜５のいずれか１項に記載の緊急用備品保管庫。
【００１５】
［７］金属製壁面に隣接して設置される前項１〜６のいずれか１項に記載の緊急用備品保管庫であって、
前記ケーシング本体における前記金属製壁面に対応する外面に、マグネットシートによって構成される固定用テープが取り付けられ、
前記マグネットシートの磁気吸着力によって、前記ケーシング本体が前記金属製壁面に吸着されて固定される緊急用備品保管庫。
【発明の効果】
【００１６】
発明［１］の緊急用備品保管庫によれば、緊急時に押込板を押し込んで緊急開放口を開いて解錠した際に、押し込んだ手でそのまま扉の緊急開放口一縁部を把手として握って扉を開放することができる。このため、解錠操作から扉開放操作を一連の動作として遅滞なく行うことができ、緊急時に扉を速やかに開放することができる。
【００１７】
発明［２］の緊急用備品保管庫によれば、緊急時に押し込んだ緊急押込板を、把手の一部として利用するものであるため、その把手の握り具合が良くなり、扉開放時の操作性を一層向上させることができる。
【００１８】
発明［３］の緊急用備品保管庫によれば、緊急押込板を押し倒すものであるため、より一層簡単に緊急開放口を開放できて、解錠操作をより一層スムーズに行うことができる。
【００１９】
発明［４］の緊急用備品保管庫によれば、緊急押込板を押し込んだ際に水平状態に保持されるため、緊急押込板を把手として一層握り易くなり、扉開放時の操作性をより一層向上させることができる。
【００２０】
発明［５］の緊急用備品保管庫によれば、緊急押込板を押し込んだ手を、緊急開放口に無理なくスムーズに挿入できて、扉開放操作をより一層速やかに行うことができる。
【００２１】
発明［６］の緊急用備品保管庫によれば、緊急押込板を把手として把持する際に、指先が折曲部に無理なく引っ掛かるため、緊急押込板をより一層握り易くなり、扉開放時の操作性をなお一層向上させることができる。
【００２２】
発明［７］の緊急用備品保管庫によれば、隣接する金属製衣類用ロッカー等の側壁面に、磁気吸着力によって確実に固定できるとともに、隣接する金属製壁面に接着跡等が残るような不具合も確実に防止することができる。
【図面の簡単な説明】
【００２３】
【図１】図１はこの発明の実施形態である緊急用備品保管庫を示す斜視図である。
【図２】図２は実施形態の緊急用備品保管庫を緊急時に扉を開放した状態で示す斜視図である。
【図３】図３は実施形態の緊急用備品保管庫を鍵操作によって扉を開放した状態で示す斜視図である。
【図４Ａ】図４Ａは実施形態の緊急用備品保管庫における緊急押込板周辺を閉塞状態で示す断面図である。
【図４Ｂ】図４Ｂは実施形態の緊急用備品保管庫における緊急押込板周辺を押込状態で示す断面図である。
【図５】図５は実施形態の緊急用備品保管庫における緊急押込板周辺を裏面側から見た状態で示す断面図である。
【図６】図６は実施形態の緊急用備品保管庫を側方のやや後方から見た状態で示す断面図である。
【図７】図７は実施形態の緊急用備品保管庫に採用された固定用テープを示す斜視図である。
【発明を実施するための形態】
【００２４】
図１〜３はこの発明の実施形態である緊急用備品保管庫を示す斜視図である。これらの図に示すように、この緊急用備品保管庫１は、平面視において、直角二等辺三角形状に形成されており、その底辺に相当する部分が前面として構成されるとともに、二等辺に相当する部分が両側面として構成される。
【００２５】
この保管庫１は、衣類用ロッカーＡ等の屋内設置機器と並べて設置できるようになっている。例えば保管庫１を、その一方の側面全域を衣類用ロッカーＡの側面に隙間なく接触させることにより、ロッカーＡの側方空間に収まり良く配置できるようになっている。
【００２６】
本実施形態における保管庫１は、鋼鉄等の金属によって構成されており、前面側が開放されたケーシング本体２を備えている。ケーシング本体２の前面外周縁部には、扉枠２２が設けられており、その扉枠２２に囲まれた部分が前面開口２１として構成されている。
【００２７】
ケーシング本体２の前面開口２１には、扉３が開閉自在に取り付けられている。すなわち、扉３の一側縁部（右側縁部）が、ケーシング本体２の扉枠２２における一側（右側）の縦枠２３に蝶番を介して回転自在に取り付けられる。そして、扉３をその右側縁部を支点に回転操作すると、扉３によってケーシング本体２の前面開口２１を閉じた状態（閉塞状態）と、その閉塞状態から扉３を前方に９０°程度回転させて前面開口２１を開放した状態（開放状態）との間で扉３を可動させることができ、これにより、前面開口２１を開閉できるようになっている。
【００２８】
扉３の裏面側における上部他側縁部（上部左側縁部）には、錠前（ロック機構）４が取り付けられている。
【００２９】
この錠前４は、シリンダ錠によって構成されており、図１に示すようにその鍵孔４１の前端が扉３の前面（表面）に臨むように配置されている。
【００３０】
図２，３に示すように錠前４は、鍵孔４１に差し込まれた鍵（図示省略）の回転操作（鍵操作）に連動して回転する回転軸４２を備えており、その回転軸４２の後端部に閂４３の一端が固定されている。
【００３１】
この閂４３は、鍵操作によって、図２，３の実線に示すように垂直に配置された解錠状態（ロック解除状態）と、両図の破線に示すように水平に配置された施錠状態（ロック状態）との間で回転可能に構成されている。そして、扉３を閉じた状態で、鍵操作によって、閂４３を施錠状態に設定すると、閂４３の先端が、扉枠２２における他側（左側）縦枠２４の裏面側に配置される。この状態では、閂４３が縦枠２４の裏面側に係止することによって、扉３を開放できないようになっている。また鍵操作によって、閂４３を解錠状態に設定すると、閂４３が、左側縦枠２４の裏面側から内側に退避する。この状態では、閂４３が左側縦枠２４に対し係止することがなく、扉３を開放できるようになっている。
【００３２】
扉３の上側部中央には、正面視で矩形状の緊急開放口３１が形成されている。この緊急開放口３１は、扉３の表面側（前面側）から裏面側（後面側）にかけて貫通しており、この緊急開放口３１を介して、扉３の表裏が連通されている。
【００３３】
この緊急開放口３１は、大人の手が挿入できるように、幅および高さが設定されている。具体的に、緊急開放口３１は、親指以外の４本の指を挿入でき、さらにそのまま掌（手の甲）の親指の付け根あたりまで十分に挿入できるように形成されている。
【００３４】
図２〜５に示すように緊急開放口３１には、プラスチック製の透明なカバー板３２が嵌め込まれている（図４Ａ参照）。この透明カバー板３２は、前面側から手で押し込めば、比較的簡単に外れる程度の緊急開放口３１に嵌め込み状態で取り付けられている。
【００３５】
扉３の裏面側における緊急開放口３１の下縁部には、その下縁部に沿って支持部材３３が固定されている。
【００３６】
支持部材３３には、緊急押込板５の下端が蝶番５０を介して前後方向に回転自在に取り付けられている。この緊急押込板５は、矩形状で、緊急開放口３１よりも一回り大きいサイズに形成されており、前方に回転して起立した状態では、透明カバー板３２を介して緊急開放口３１を裏面側から閉塞するように配置される。また後方へ回転して倒伏した状態では、支持部材３２に支持されて、略水平に配置されるようになっている。
【００３７】
緊急押込板５は、鋼鉄等の金属板によって構成されている。図４Ａに示すように扉３の裏面側における緊急開放口３１の上側には、マグネット（磁石）により構成される吸着部材３４が取り付けられている。そして、緊急押込板５が前方へ起立した際には、緊急押込板５がその上端縁が吸着部材３４に磁気吸着することにより、起立状態に保持されるようになっている。
【００３８】
なお、起立状態に保持された緊急押込板５は、前面側から手で押し込めば、比較的簡単に吸着部材３４との吸着が解除される程度の吸着力で吸着部材３４に吸着されている。従って、起立状態の緊急押込板５を、透明カバー板３２を介して前面側から押し込めば、簡単に後方へ倒伏させることができるようになっている。
【００３９】
また図４Ｂに示すように、支持部材３３の上面には、マグネットにより構成される吸着部材３５が取り付けられている。そして、緊急押込板５が後方へ倒伏した際には、緊急押込板５がその下端縁が吸着部材３５に磁気吸着することにより、倒伏状態に保持されるようになっている。
【００４０】
図２，３に示すように支持部材３３の後端面には、解錠レバー５１の略中間部が回転自在に取り付けられている。この解錠レバー５１は、その力点としての一側部（右側部）が緊急押込板５に対応して配置されるとともに、作用点としての他端部（左端部）が扉３の裏面側における左側縁部に対応して配置されている。
【００４１】
また扉３の裏面側における解錠レバー５１の他端部の上下位置には、解錠レバー５１の回転量を規制するストッパー５２，５３が取り付けられている。さらに解錠レバー５１は、その重心位置が回転軸（支点）よりも左寄り（他端側）に設定されている。従って、図３に示すように、通常状態において、解錠レバー５１は、自重により、一端側が支持部材３３の上面により上方に位置し、かつその一端側に対し他端側が下方に位置した状態で、他端側が下側ストッパー５２に当接支持されている。
【００４２】
この状態から、既述したように、緊急押込板５を押し込んで倒伏させると、図２に示すようにその押込板５によって解錠レバー５１の一端側が下方に押し込まれて、他端側が上方に持ち上げられるようになっている。
【００４３】
図２に示すように、ケーシング本体２の他側（左側）縦枠２４における裏面側には、解錠レバー５１と錠前４との間に対応して、上下方向にスライド自在にロッド５４が取り付けられている。
【００４４】
このロッド５４の下端には、内側に突出し、かつ解錠レバー５１の他端部に当接支持される下側連接片５５が取り付けられるとともに、上端には、内側に突出し、かつ錠前４の閂５３の先端下部に接触可能な上側連接片５６が取り付けられている。
【００４５】
そして、錠前４の閂４３が、ケーシング本体２の左側縦枠２４における裏面側に配置された施錠状態において、緊急押込板５が押し込まれると、閂４３が外れて解錠されるようになっている。すなわち、施錠状態において、緊急押込板５が押し込まれると、解錠レバー５１の他端側によってロッド５４の下側連接片５５が上方に押し上げられて、図２の想像線に示すようにロッド５４が上方へ押し上げられる。さらにロッド５４が上方に押し上げられると、ロッド上端の連接片５６によって、錠前４の閂４３の先端部が上方へ押し上げられる。これにより、閂４３がケーシング本体２の左側縦枠２４における裏面側から内側に退避して解錠状態となる。従ってこの状態においては、扉３を手前に引き込んで開放することができる。
【００４６】
ここで、本実施形態において、押込板５を手で押し込んで、その手を緊急開放口３１に差し込んだ際に、親指以外の４本の指のうち、少なくとも１本の指、好ましくは３〜４本の指の指先が、押込板５の奥側端縁（揺動側端縁）に引っ掛かるようにサイズ調整されている。
【００４７】
このようなサイズに調整することによって、押込板５は、緊急時に把手の一部として機能させることができる。すなわち、緊急時に扉３を開放する際に、緊急開放口３１を閉塞している押込板５を指先で押し込んで倒伏させた後、親指やその付け根の部分を、扉３の表面側における緊急開放口３１の下縁部に押し当てて、親指以外の数本の指の指先を倒伏状態の押込板５の揺動側端縁（揺動側端部）に引っ掛けることにより、扉３の緊急開放口下縁部から押込板５の揺動側端縁までの部分を把手のように把持することができる。従って扉３の緊急開放口下縁部および押込板５を把手として把持した状態で、手前に引けば扉３をスムーズに開放することができる。
【００４８】
ここで本実施形態においては、緊急時に手を緊急開放口３１にスムーズに挿入できて、速やかに押込板５に指先を引っ掛けることができるように、緊急開放口３１の形状やサイズ、および押込板５の形状やサイズを設定すれば良い。
【００４９】
なお図４Ａ，４Ｂに示すように、押込板５の揺動側端縁には、裏面側に折曲された指掛け用の折曲部５７が形成されており、指先をこの折曲部５７に確実に引っ掛けることができ、扉３の緊急開放口下縁部から押込板５までの把手部分をより確実に把持できて、扉開放操作をより一層スムーズに行うことができる。
【００５０】
図２〜４に示すように、扉３の裏面側における緊急押込板５の上方には、警報器としてブザー等の音響器６が取り付けられている。
【００５１】
また扉３の裏面側にけおける音響器６と緊急押込板５との間には、音響器６に電力を供給するためのバッテリー６１が取り付けられている。
【００５２】
さらに音響器６を作動するスイッチとしての可動接点６２が、緊急押込板５の裏面に取り付けられるとともに、固定接点６３が、支持部材３３の上面における可動接点６２に対応する位置に取り付けられている。
【００５３】
さらに音響器６、バッテリー６１および各接点６２，６３が電線６４によって適宜電気接続されて、音響回路が構成されている。
【００５４】
そして、緊急押込板５が押し倒されると、図４Ｂに示すように可動接点６２が固定接点６３に接触して、音響回路が閉じられてスイッチがＯＮとなり、音響器６から警報音が発生するようになっている。
【００５５】
以上のように構成された緊急用備品保管庫１は、図６に示すように、金属製ロッカー等の金属製壁面に固定するための固定用テープ７が設けられている。
【００５６】
図７に示すようにこの固定用テープ７は、マグネット（磁石）によって構成される帯状のマグネットシート７１と、そのマグネットシート７１の一面に塗布された接着剤や粘着剤によって構成される貼着剤７２とを備えている。
【００５７】
なお本発明においては、マグネットシート７１に直接、貼着剤７２を塗布するようにしているが、それだけに限られず、基材シートの両面に接着剤や粘着剤が塗布された、いわゆる両面テープをマグネットシート７１の一面に接着固定するようにしても良い。
【００５８】
また固定用シート７（マグネットシート７１）は、多少の柔軟性を有するものであり、不要時には巻回してコンパクトな状態にして保管できるようになっている。
【００５９】
この構成の固定用テープ７が、緊急用備品保管庫１の一側面（ロッカーＡと接触する側の面）に取り付けられる。このとき、固定用テープ７の一面（貼着剤７２側の面）が、貼着剤７２の接着作用およびマグネットシート７１の磁気吸着作用によって、緊急用備品保管庫１に接着固定される。さらに本実施形態において、固定用テープ７は、上下方向に沿うように配置されるとともに、水平方向（横方向）に並んで３本配置されている。
【００６０】
そして図１，６に示すように、この緊急用備品保管庫１を、固定用テープ７が貼り付けられた一側面をロッカーＡの側面に接触させて、固定用テープ７のマグネットシート７１によってロッカーＡの側面に磁気吸着させて固定した状態で、ロッカーＡに沿うように配置する。
【００６１】
以上の構成の緊急用備品保管庫１において、普段は、錠前４によって施錠されて、扉３を開放できない状態となっている。なお言うまでもなく、緊急時以外の通常時において、保管庫１内の緊急用備品の点検や確認を行う場合には、鍵（図示省略）を用いて解錠して、扉３を開放するものである。
【００６２】
一方、緊急時に、鍵を用いずに、施錠状態の保管庫１の扉３を開放して庫内の緊急用備品を取り出すには、操作者は、親指以外の数本の指の指先で、緊急押込板５を透明カバー板３２を介して支持部材３３上に押し倒して水平に配置して、緊急開放口３１を開放する。この開放と同時に、既述したように錠前４は解錠される。さらに操作者は、緊急押込板５の押込操作に続けて、親指を扉３の表面における緊急開放口３１の下縁部に押し当てて、残り４本の指と共に手を緊急開放口３１に挿入していき、親指以外の数本の指の指先を、緊急押込板５の揺動端縁側の折曲部５７に引っ掛ける。このように操作者は、扉３の緊急開放口下縁部から緊急押込板５までの部分を、把手として把持して、扉３を手前に引けば開放することができる。
【００６３】
以上のように、本実施形態の緊急用備品保管庫１によれば、緊急時に、緊急押込板５を押し倒して解錠する動作に続いて、扉３の緊急開放口下縁部から押込板５の部分を把手として把持できて、そのまま扉３を引いて開放することができる。このように解錠操作から扉開放操作を一連の連続動作として行うことができ、施錠された扉を緊急時に滞りなく速やかに開放することができ、非常に使い勝手の良いものとなる。
【００６４】
参考までに、上記特許文献１等に示す従来の緊急用備品保管庫は、扉に設けた緊急ボタンの押操作によって、施錠された扉を解錠するように構成しているが、そのような保管庫においては、緊急ボタンを押して解錠する解錠操作と、把手等の扉の部位を把持して扉を開放する扉開放動作とは、関連性のない別々の動作となるため、解錠操作から扉開放操作へ速やかに移行できないことがあり、扉開放時の操作性を低下させるおそれがある。
【００６５】
これに対し、本実施形態の緊急用備品保管庫１によれば、既述したように解錠操作から扉開放操作を一連の連続動作として行うことができ、施錠された扉を緊急時に速やかに開放することができる。
【００６６】
さらに本実施形態の保管庫１によれば、押し倒した押込板５を把手の一部として利用するものであるため、扉３の緊急開放口下縁部から押込板５の奥側端縁までの握り幅を、適度な大きさに設定することができ、握りやすくなり、緊急時の扉開放操作をより一層スムーズに行うことができる。
【００６７】
また本実施形態の緊急用備品保管庫１によれば、押込板５の揺動側端縁に、裏面側に折り曲げられた指掛け用の折曲部５７を設けて、指先がその折曲部５７に確実に引っ掛けることができるため、より一層速やかに扉３を開放することができる。
【００６８】
また本実施形態の保管庫１によれば、緊急開放口３１を水平方向（横方向）が垂直方向（縦方向）よりも長い横長の長方形状に形成しているため、親指以外の４本の指を、緊急開放口３１の長さ方向に揃えることにより、手を緊急開放口３１にスムーズに挿入することができ、緊急時における扉開放時の操作性を一層向上させることができる。
【００６９】
本実施形態においては、扉３の裏面側における緊急開放口３１の下縁部に、支持部材３３を取り付けて、押し倒した押込板５が支持部材３３により支持されて、略水平姿勢に保持されるようになっているため、緊急開放口３１から挿入した指の指先を、押込板５の揺動側端縁に引っ掛け易くなり、その把手部分を、より一層確実に把持することができ、緊急時における扉解放時の操作性をより一層向上させることができる。
【００７０】
また本実施形態においては、緊急用備品保管庫１を、その一側面に貼り付けた固定用テープ７によって、隣接する金属製ロッカーＡの側面に磁気吸着させて固定しているため、地震時の揺れや、配置換え時等に機材や作業者が衝突したとしても、緊急用備品保管庫１が不用意に倒れてしまうのを有効に防止できる。その上さらに、緊急用備品保管庫１を、磁気吸着力によって、ロッカーＡ等の隣接する金属製壁面に固定しているため、隣接する金属製壁面に接着跡等が残存するような不具合も防止することができる。
【００７１】
なお上記実施形態においては、緊急押込板５を把手の一部として構成しているが、本発明においては、押込板５を必ずしも把手の一部として利用する必要がない。例えば、押込板５を押し倒した際に、扉３における緊急開放口３１の上側縁部や両側縁部を把手として手で把持し、扉３を開放するようにしても良い。
【００７２】
さらには、緊急押込板をその上側縁部が回転自在に取り付けられた上開き方式に構成し、押し開いた際に、扉の緊急開放口上側縁部から押込板の揺動側端縁までの部分を把手として構成するようにしても良い。さらに押込板を上開き方式に構成し、扉の緊急開放口縁部のうち押込板が取り付けられていない部分、つまり、扉の緊急開放口下縁部や、緊急開放口両側縁部を把手として構成するようにしても良い。
【００７３】
さらには、緊急押込板をその一側縁部が回転自在に取り付けられた片開き方式に構成し、押し開いた際に、扉の緊急開放口一側縁部から押込板の揺動端縁までの部分を把手として構成するようにしても良い。さらに押込板を片開き方式に構成し、扉の緊急開放口縁部のうち押込板が取り付けられていない部分、つまり、扉の緊急開放口上縁部や、緊急開放口下側縁部、緊急開放口他側縁部を把手として構成するようにしても良い。
【００７４】
もっとも、本実施形態のように、押込板５を押し倒し方式に構成する場合には、上開き方式や、片開き方式に比べて、押込板５を少し押し込むだけで、自重作用も相まって押込板５を確実に倒伏させることができ、押込板５をより一層開き易くなり、ひいては、緊急時の扉開放操作を、なお一層スムーズに行うことができる。
【００７５】
また上記実施形態においては、押込板５および緊急開放口３１を横長の長方形状に形成しているが、本発明において、押込板や緊急開放口の形状は限定されるものではない。例えば押込板や緊急開放口の形状を、正面視で、長円形、楕円形、台形、三角形状等により構成しても良い。
【００７６】
さらに押込板５と緊急開放口３１とを相似形等の近似した形状に必ずしも形成する必要はなく、押開き体５と緊急開放口３１とを異なる形状に形成するようにしても良い。
【００７７】
また上記実施形態においては、錠前４としてシリンダー錠を用いるようにしているが、本発明において、錠前の種類は限定されるものではない。例えば本発明においては、錠前として、数字を入力して解錠するテンキー錠、複数の数字を合わせて解錠する数字合わせ錠、ダイヤルを回転操作して解錠するダイヤル錠、カードキーで解錠するカード錠等を用いるようにしても良い。
【００７８】
また上記実施形態においては、緊急用備品保管庫１（ケーシング本体２）を平面視二等辺三角形状に形成しているが、言うまでもおなく、保管庫１の平面形状は限定されるものではない。例えば保管庫の平面形状を正方形、長方形、円形等に形成しても良い。
【００７９】
さらに緊急用備品保管庫１の高さ寸法、幅寸法、奥行寸法等のき大きさも限定されるものではなく、どのような大きさに設定しても良い。
【００８０】
また上記実施形態においては、警報器として、ブザー等の音響器を取り付けるようにしているが、それだけに限られず、本発明においては、警報器として、回転灯等の警報表示灯を取り付けても良いし、さらには音響器および警報表示灯の双方を取り付けるようにしても良い。
【００８１】
また上記実施形態においては、緊急用備品保管庫１を、衣類用ロッカーＡと並べて配置するようにしているが、本発明においては、緊急用備品保管庫を、衣類用ロッカー以外の屋内設置機器、例えば物置用ロッカー、キャビネット、本棚、自動販売機等と並べて配置するようにしても良いし、屋内設置機器と並べずに、緊急用備品保管庫１を独立した状態で屋内の壁際等に配置するようにしても良い。
【産業上の利用可能性】
【００８２】
この発明の緊急用備品保管庫は、災害時等の緊急時に用いられる備品の保管用として用いることができる。
【符号の説明】
【００８３】
１：緊急用備品保管庫
２：ケーシング本体
２１：前面開口
３：扉
３１：緊急開放口
４：錠前
４１：鍵孔
５：緊急押込板
５７：指掛け用折曲部
７：固定用テープ
７１：マグネットシート
【図１】
0005856800.tif 000002
【図２】
0005856800.tif 000003
【図３】
0005856800.tif 000004
【図４Ａ】
0005856800.tif 000005
【図４Ｂ】
0005856800.tif 000006
【図５】
0005856800.tif 000007
【図６】
0005856800.tif 000008
【図７】
0005856800.tif 000009